(57)【要約】【課題】光学効果を有する透明転写体の重ね転写を安定して実現することが可能な光学効果形成転写シートを提供する。【解決手段】透明基材１１上に透明性材料で構成される光学効果形成層１３、反射層１４、接着層１５を順次積層し、前記光学効果形成層１３と反射層１４との間に凹凸構造を持つ光学効果形成転写シートにおいて、前記基材１１と光学効果形成層１３との界面の基材１１側を離型処理して離型処理面１２を形成し、転写時に光学効果形成層１３が離型処理面１２より分離されるように構成したことを特徴とする。【選択図】図１
2014172242.tif 000002
【特許請求の範囲】
【請求項１】
透明基材上に透明性材料で構成される光学効果形成層、反射層、接着層が順次積層され、前記光学効果形成層と前記反射層との間に凹凸構造を持つ光学効果形成転写シートにおいて、転写時に前記光学効果形成層が前記透明基材との界面より分離されるように構成したことを特徴とする光学効果形成転写シート。
【請求項２】
前記透明基材の上面に離型処理面を形成し、転写時に前記光学効果形成層が前記基材の離型処理面にて分離されることを特徴とする請求項１に記載の光学効果形成転写シート。
【請求項３】
前記反射層の屈折率が前記接着層及び前記光学効果形成層の構成材料より高い材料で構成されていることを特徴とする請求項１に記載の光学効果形成転写シート。
【請求項４】
請求項１，２，３のいずれかに記載される複数の転写シート転写部を重ねて転写することにより形成される転写形成体において、少なくとも１つの光学効果形成層の光学効果が他のそれとは異なることを特徴とする転写形成体。
【発明の詳細な説明】
【技術分野】
【０００１】
本発明は、光学効果形成層を備えた光学効果形成転写シートに関するものである。
【背景技術】
【０００２】
高度にセキュリティ性が必要となる分野ではホログラムが非常によく使われている。例えばパスポートに使用されている例としては顔画像に加えて名前、国籍など個別文字情報を文字画像として画像情報化し、この情報を元にインクシートを用いて、熱転写受像シートに転写し熱転写受像シート上にインク画像を作成、更にこの受像シートをパスポートに転写して個別情報をパスポートに印字する。熱転写受像シートを使用すると被転写体であるパスポートの紙質に左右されずに高い品質の画像を提供することができる。
【０００３】
しかし、インク画像だけではセキュリティ性が弱いため色々な光学効果が現れるような構造（光学効果形成層と呼ぶ）が形成されている熱転写シートを使用することにより、セキュリティ性を高める手法がよく使われる。光学効果としてよく使われるのがホログラムである。
【０００４】
光学効果形成層が形成されている熱転写受像シートの構造例を図３に示す。熱転写受像シートは、基材１に剥離層２、光学効果形成層３、反射層４、接着層５の順に積層されている。光学効果形成層３には色々な光学効果が現れるような構造が形成されている。これら構造は光学効果形成層３と反射層４の界面に形成されている。この光学効果形成層３の屈折率より高い屈折率材料で反射層４を形成することによって、このレリーフ構造の回折効率を高めることが可能であり、このような構成により高輝度な光学効果による画像を提供することができる。
【０００５】
光学効果として最も良く使われているものは回折効果を利用したものであるが、この外レンズ効果を使ったものなどもある。いずれの表現も偽造が大変困難なため、このような光学効果が施された熱転写受像シートは非常にセキュリティ性が高い。
【０００６】
更に、セキュリティ性を高めるためにこれら光学効果を使った画像をオンデマンドに表現する手法も提案されている。しかし、図３に示した転写シートでは構造上、光学効果形成層３に描かれている画像を変えることが非常に困難である。そこで、図３と同様な構造を持ち、かつ均一な光学特性の光学効果形成層３を持つ図４のような転写シートを網点状に転写することにより、オンデマンドに光学画像を形成ることができる。この方法を用いるとインク画像と同様に光学画像も転写毎に変えることができるため、セキュリティ性を格段に高めることが可能である（例えば、特許文献１参照。）。特にカラー表現のように異なる光学特性を持つ転写シートを重ね合わせて転写することにより成立する表現を加えてホログラム化すると、非常にセキュリティ性を高めることができる。
【０００７】
色を表現する場合を例にとって重ね転写の過程を説明する。まず、赤用転写シートを中間転写箔に転写、その後、緑用転写シートを赤用転写シートの上から転写し、更に青用転写シートをこれらの上から転写する。このような構成であると赤、緑、青のそれぞれの転写シートの光学効果を重ね合わせることが可能となり、この重ね合わせ効果により自在に色を表現することが可能になる。
【０００８】
熱転写シートを転写する場合、中間転写箔の受像層など接着性の高い材料に転写シートの接着層を接触させ、加熱することにより接着層と受像層材料が溶融し密着する。この状態で熱転写シートと中間転写箔を引き剥がすように力を加えると、転写シート側の剥離層から接着層までが基材から中間転写箔のほうに転写される。このように転写シート側の剥離層は転写性を高めるために密着性が高くないものを選ぶ。
【先行技術文献】
【特許文献】
【０００９】
【特許文献１】特開２００５−２３４５５９号公報
【発明の概要】
【発明が解決しようとする課題】
【００１０】
しかし、図４に示したように構成された転写シートでは、重ね合わせて転写するときに第２層は第１層転写の上に転写することになるため、密着性の低い剥離層の上に転写することになる。転写する網点の大きさを大きくすることで、ある程度は密着性を高めることは可能であるが、小さな網点を必要とする表現ができないため表現に制限ができてしまう。このため図４の構成では表現の制限を少なくし、かつ剥離層上に転写シートを安定して転写することは非常に困難である。
【００１１】
本発明は上記の課題を解決するためになされたもので、表現の制限を少なくし、かつ光学効果を有する透明転写体の重ね転写を安定して実現することが可能な光学効果形成転写シートを提供することを目的とする。
【課題を解決するための手段】
【００１２】
前記課題を解決するために、剥離層があると重ね転写がし難くなるので請求項１に記載の発明は、透明基材上に透明性材料で構成される光学効果形成層、反射層、接着層が順次積層され、前記光学効果形成層と前記反射層との間に凹凸構造を持つ光学効果形成転写シートにおいて、転写時に前記光学効果形成層が前記透明基材との界面より分離されるように構成したことを特徴とする光学効果形成転写シートである。これにより重ね転写時に光学効果形成層に第２層が転写されるので、剥離層に転写する場合より密着力が期待でき、安定した重ね転写が可能になる。
【００１３】
請求項２に記載の発明は、請求項１に記載の光学効果形成転写シートにおいて、前記透明基材の上面に離型処理面を形成し、転写時に前記光学効果形成層が前記基材の離型処理面にて分離されることを特徴とする。基材と光学効果形成層の界面の基材側を離型処理することにより、剥離層がなくても十分な剥離性を実現することができる。
【００１４】
請求項３に記載の発明は、請求項１に記載の光学効果形成転写シートにおいて、前記反射層の屈折率が前記接着層及び前記光学効果形成層の構成材料より高い材料で構成されていることを特徴とする。反射層を接着層及び光学効果形成層の構成材料の屈折率より高い屈折率材料で構成することにより、光学効果形成層における光学効果を高めることができる。
【００１５】
さらに請求項４に記載の発明においては、請求項１，２，３のいずれかに記載される複数の転写シート転写部を重ねて転写することにより形成される転写形成体において、転写されている複数の転写部のうち、少なくとも１つの光学効果形成層の光学効果が他のそれとは異なることを特徴とする転写形成体である。
【発明の効果】
【００１６】
本発明によれば、光学効果を有する透明転写体の重ね転写を安定して実現することが可能になる。
【図面の簡単な説明】
【００１７】
【図１】本発明の一実施形態に係る光学効果形成転写シートの構成を示す断面図である。
【図２】同実施形態における転写機構の概略構成図である。
【図３】従来の熱転写受像シートの構成例を示す断面図である。
【図４】従来の均一な光学特性の光学効果形成層を持つ転写シートの構成例を示す断面図である。
【発明を実施するための形態】
【００１８】
以下、本発明の実施の形態について図面を参照して説明する。
図１は、本発明をカラー表現用の光学効果形成転写シートに実施した場合の構成例を示す断面図である。
【００１９】
図１において、１１は透明性材料で形成された基材で、この基材１１上に透明性材料で形成された光学効果形成層１３、反射層１４、接着層１５がこの順に積層される。この場合、上記基材１１と光学効果形成層１３との界面には、基材１１側が離型処理されて離型処理面１２が形成されている。離型処理方法としてはシリコーン材料をコートしたものが現在は主流であるが、シリコーンが転写側に微量ながら移ることがあるため、そういったことが少ないメラミン系材料、もしくはオレフィン系の材料を使って形成される。また、上記反射層１４は、屈折率が光学効果形成層１３及び接着層１５の構成材料より高い材料で構成される。更に、光学効果形成層１３と反射層１４との間に凹凸構造が形成される。
【００２０】
上記のようにして剥離層を持たない転写シート、すなわち剥離層無し転写シート１０が構成され、上記離型処理面１２の上に形成される光学効果形成層１３、反射層１４、接着層１５が転写される形態の転写箔１６となっている。
【００２１】
カラー表現用の転写シートでは、光学効果形成層１３に、特定方向に赤、緑、青の光をそれぞれ回折するように設計された回折格子が配置されている。これらの転写シートより光学画像を形成するもとのカラー画像データは赤、緑、青の成分にそれぞれ分けられ、３つの画像データを作成する。その後、各色成分をそれぞれに適した画像処理を行うことにより、転写に使用するための画像情報を作成する。
【００２２】
上記剥離層無し転写シート１０上の転写箔１６を被転写体に転写して光学画像を形成する場合、図２に示す転写機構２０を使用し、剥離層無し転写シート１０上の転写箔１６の一部を網点状に被転写体２２に転写することにより行う。転写機構２０は、図２に示すように転写ヘッド２１、被転写体２２、転写シートを連続的に供給する転写シート供給機構２３、被転写体固定ステージ２４、固定ステージ用移動機構２５により構成される。
【００２３】
転写ヘッド２１はライン状に配置された微小発熱体で構成されており、図２に示すように転写ヘッド２１で剥離層無し転写シート１０を被転写体２２に相応の圧力で押し付ける。この状態で転写ヘッド２１の微小発熱体にエネルギーを供給すると微小発熱体が加熱され、この微小発熱体に接している部分の剥離層無し転写シート１０上の転写箔１６が被転写体２２に転写される。
【００２４】
上記剥離層無し転写シート１０は、転写シート供給機構２３により連続的に供給できるようになっている。また、被転写体２２は被転写体固定ステージ２４を介して固定ステージ用移動機構２５に保持されている。更に、この固定ステージ用移動機構２５は、制御用コンピュータ（図示せず）に接続されている。転写シート供給機構２３と固定ステージ用移動機構２５は同期して動くように制御される。上記転写ヘッド２１の微小発熱体への供給エネルギーは、画像情報を解析することによって決定される。画像の縦、もしくは横の１列の画像情報を解析することにより各微小発熱体に供給するエネルギーを決定し、この情報を転写ヘッド２１に送ると微小発熱体がパルス的に加熱され、接触する剥離層無し転写シート１０の接着層材料が軟化、溶融して被転写体２２に密着し、転写箔１６が点状に転写される。
【００２５】
上記のようにして光学画像の第１列を被転写体２２に転写する。光学画像の第１列を転写した後、被転写体２２と剥離層無し転写シート１０を同期して一列分移動し、前記光学画像の第１列と同様の流れで第２列の転写を行う。このような流れを連続的に実施することで被転写体２２に光学画像を形成する。
【００２６】
以上の作業で赤情報に基づいた光学画像が被転写体２２上に形成される。次に、この赤の光学画像の上に緑データに基づいた光学画像が前記手順と同様に行われ、画像形成される。更に緑の光学画像に重ねるように青データに基づき青用光学画像が形成される。これら３画像は精密に位置合わせした後、それぞれ形成されるので赤緑青の重ね合わせによるカラーの光学画像を形成することができる。なお、本実施形態では重ね効果として色の例をあげたが、特にこれに限定するものではない。
【００２７】
上記実施形態によれば、転写時に光学効果形成層１３が基材１１上に形成された離型処理面１２より分離されるので、剥離層に転写する場合より密着力が期待でき、安定した重ね転写が可能になる。剥離層を持つ転写体に重ね印字する場合、剥離層上に転写する転写体の接着層が乗る形となるため、剥離層と接着層の密着度が重要となる。剥離層は元々ある温度より高くなると基材から剥がれるような仕様で設計されるため、接着効果の高い材料を使うことはできない。例えば接着層にポリエステル系の材料を使用した場合、この接着層と相性を高めるため剥離層にもポリエステル系の材料を混ぜる。しかし、ポリエステル系の材料が剥離層に混ざると剥離が非常に重くなる。そうなると剥離を軽くするための材料を新たに混ぜる必要があり、場合によっては接着層の材料にも手を加える必要が出てくることもあり、そうなると２つの層の材料構成をリンクしながら変える必要がある。しかし、離型処理効果を使えば離型処理部の構成を開発するだけで済むので、材料設計の手間が剥離層有りの時に比べ、大きく異なる。
【００２８】
また、基材１１と光学効果形成層１３の界面の基材側を離型処理して離型処理面１２を形成することにより、剥離層がなくても十分な剥離性を実現することができる。
また、反射層１４を接着層１５及び光学効果形成層１３の構成材料の屈折率より高い屈折率材料で構成することにより、光学効果形成層１３における光学効果を高めることができる。
【００２９】
なお、本発明は、上記実施形態そのままに限定されるものではなく、実施段階ではその要旨を逸脱しない範囲で構成要素を変形して具体化できるものである。
【符号の説明】
【００３０】
１０…剥離層無し転写シート、１１…基材、１２…離型処理面、１３…光学効果形成層、１４…反射層、１５…接着層、１６…転写箔、２０…転写機構、２１…転写ヘッド、２２…被転写体、２３…転写シート供給機構、２４…被転写体固定ステージ、２５…固定ステージ用移動機構。
【図１】
2014172242.tif 000003
【図２】
2014172242.tif 000004
【図３】
2014172242.tif 000005
【図４】
2014172242.tif 000006